(57)【要約】      （修正有）【課題】頭部環境のデータを取得可能なウイッグを提供する。【解決手段】ウイッグに搭載された１又は複数のセンサによってウイッグが装着された頭部を測定してセンシングデータを取得する。生体情報センサおよび環境情報センサの少なくとも一方のセンサ２であり、前記生体情報センサは、温度測定センサ、湿度測定センサ、ｐＨ測定センサ、肌水分量測定センサ、皮脂測定センサ、静電気測定センサ、臭気センサ、及び血流量センサの少なくとも何れかを備えており、取得したセンシングデータに基づいてアドバイスを生成し表示することができる。【選択図】図１
2020111854.tif 000002
【特許請求の範囲】
【請求項１】
１又は複数のセンサと、
前記センサから取得したセンシングデータを格納する格納部と、
を備えることを特徴とするウイッグ。
【請求項２】
前記センサおよび前記格納部の少なくとも一方に電源を供給する電源部と、
前記センサがセンシングした時間を計測する計時部と、
を更に備えることを特徴とする請求項１に記載のウイッグ。
【請求項３】
前記センサが、生体情報センサおよび環境情報センサの少なくとも一方のセンサであり、
前記生体情報センサは、温度測定センサ、湿度測定センサ、ｐＨ測定センサ、肌水分量測定センサ、皮脂測定センサ、静電気測定センサ、臭気センサ、及び血流量センサの少なくとも何れかを備えており、
前記環境情報センサは、位置情報取得センサ、及び光センサの少なくとも何れかを備えている
ことを特徴とする請求項１または２に記載のウイッグ。
【請求項４】
前記センサにより取得されたセンシングデータに応じて、ウイッグの装着環境を改善するための制御信号を生成する制御部、
を更に備えることを特徴とする請求項１から３のいずれか一項に記載のウイッグ。
【請求項５】
前記ウイッグが、前記制御信号を出力する出力部に接続された少なくとも一つの冷却素子を更に備え、
前記センサの少なくとも一つが温度測定センサであり、
前記温度測定センサにより取得されたセンシングデータが温度情報であり、
前記温度情報が予め設定した閾値を超えた場合、前記制御部が前記冷却素子を作動させる制御信号を生成することを特徴とする請求項４に記載のウイッグ。
【請求項６】
前記ウイッグが、前記制御信号を出力する出力部に接続された少なくとも一つの撮像素子を更に備え、
前記センサの少なくとも一つが光センサであり、
前記光センサにより取得されたセンシングデータが光量情報であり、
前記光量情報が予め設定した閾値を超えた場合、前記制御部が前記撮像素子を作動させる制御信号を生成することを特徴とする請求項４または５に記載のウイッグ。
【請求項７】
前記格納部に格納されたセンシングデータの少なくとも一部を送信する第１の通信部、を更に備えることを特徴とする請求項１から６のいずれか一項に記載のウイッグ。
【請求項８】
ウイッグに搭載された１又は複数のセンサが取得したセンシングデータを取得する取得部と、
前記取得部が取得したセンシングデータを参照して、ユーザへのアドバイスを示すアドバイス情報を生成するアドバイス生成部と、
前記アドバイス生成部が生成したアドバイス情報を表示する表示部と、
を備えていることを特徴とする情報処理装置。
【請求項９】
前記センサの少なくとも一つが温度測定センサであり、
前記温度測定センサにより取得されたセンシングデータが温度情報であり、
前記温度情報が予め設定した基準値を下回った場合、前記アドバイス生成部が、血行不良のケアを促すアドバイス情報を生成することを特徴とする請求項８に記載の情報処理装置。
【請求項１０】
前記センサの少なくとも一つがｐＨ測定センサであり、
前記ｐＨ測定センサにより取得されたセンシングデータがアルカリ傾向情報であり、
前記アルカリ傾向情報が予め設定した基準値を超えるアルカリ傾向を示す場合、前記アドバイス生成部が、シャンプーの見直しを促すアドバイス情報を生成することを特徴とする請求項８または９に記載の情報処理装置。
【請求項１１】
ウイッグに搭載された１又は複数のセンサによって、前記ウイッグが装着された頭部を測定してセンシングデータを取得する取得ステップと、
前記取得したセンシングデータを、前記ウイッグに搭載された格納部に格納する格納ステップと、
を含んでいることを特徴とする頭部測定方法。
【請求項１２】
ウイッグに搭載された１又は複数のセンサが取得したセンシングデータを取得する取得ステップと、
前記取得したセンシングデータを参照して、ユーザへのアドバイスを示すアドバイス情報を生成するアドバイス生成ステップと、
前記生成したアドバイス情報を表示するステップと、
を含んでいることを特徴とする情報処理方法。
【請求項１３】
請求項８に記載の情報処理装置としてコンピュータを機能させるためのプログラムであって、前記取得部、前記アドバイス生成部、および前記表示部としてコンピュータを機能させることを特徴とするプログラム。
【発明の詳細な説明】
【技術分野】
【０００１】
本発明は、ウイッグに関し、特にデータを収集するセンサを備えたウイッグに関する。
【背景技術】
【０００２】
湿度センサを備えたかつら用脱臭乾燥用具が従来技術として知られている（特許文献１）。
【先行技術文献】
【特許文献】
【０００３】
【特許文献１】特許３８１３８９９号（２００３年１１月６日公開）
【発明の概要】
【発明が解決しようとする課題】
【０００４】
一方で、ユーザには、自身の頭部環境に応じて、適切なアドバイスを受けたいという潜在的なニーズがある。
【０００５】
しかしながら、上述のような従来技術は、頭部環境のデータを取得するものではないため、データに基づく適切なアドバイスをすることができないという問題がある。
【０００６】
本発明の一態様は、頭部環境のデータを取得可能なウイッグを実現することを目的とする。
【課題を解決するための手段】
【０００７】
上記の課題を解決するために、本発明に係るウイッグは、１又は複数のセンサと、前記センサから取得したセンシングデータを格納する格納部と、を備える構成である。
【０００８】
上記の構成によれば、ウイッグに搭載したセンサにより取得された頭部環境のデータをウイッグに備えられた格納部に格納することができる。
【０００９】
上記の課題を解決するために、本発明に係る情報処理装置は、ウイッグに搭載された１又は複数のセンサが取得したセンシングデータを取得する取得部と、前記取得部が取得したセンシングデータを参照して、ユーザへのアドバイスを示すアドバイス情報を生成するアドバイス生成部と、前記アドバイス生成部が生成したアドバイス情報を表示する表示部と、を備えている構成である。
【００１０】
上記の構成によれば、ウイッグを装着した頭部のセンシングデータを取得し、取得したセンシングデータに基づいてアドバイスを生成し表示することができる。
【００１１】
上記の課題を解決するために、本発明に係る頭部測定方法は、ウイッグに搭載された１又は複数のセンサによって、前記ウイッグが装着された頭部を測定してセンシングデータを取得する取得ステップと、前記取得したセンシングデータを、前記ウイッグに搭載された格納部に格納する格納ステップと、を含んでいる方法である。
【００１２】
上記の構成によれば、ウイッグに搭載したセンサにより取得された頭部環境のデータをウイッグに備えられた格納部に格納することができる。
【００１３】
上記の課題を解決するために、本発明に係る情報処理方法は、ウイッグに搭載された１又は複数のセンサが取得したセンシングデータを取得する取得ステップと、前記取得したセンシングデータを参照して、ユーザへのアドバイスを示すアドバイス情報を生成するアドバイス生成ステップと、前記生成したアドバイス情報を表示するステップと、を含んでいる方法である。
【００１４】
上記の構成によれば、ウイッグを装着した頭部のセンシングデータを取得し、取得したセンシングデータに基づいてアドバイスを生成し表示することができる。
【発明の効果】
【００１５】
本発明の一態様によれば、頭部環境のデータを取得可能なウイッグを実現することができる。
【図面の簡単な説明】
【００１６】
【図１】（ａ）は、本発明の実施形態１に係るウイッグに搭載されたセンサシステムの概略模式図である。（ｂ）は、本発明の実施形態１に係るアドバイス生成装置３０の概略模式図である。
【図２】本発明の実施形態１に係るアドバイスを生成する方法を示すフローチャートである。
【図３】全頭用ウイッグのウイッグベース２０の装着時の一例を模式的に示した概略側面図である。
【図４】全頭用ウイッグのウイッグベース２０を模式的に示した概略背面図である。
【図５】全頭用ウイッグのウイッグベース２０の装着時の一例を模式的に示した概略上面図である。
【図６】アドバイス生成装置３０が生成する管理情報の一例である。
【図７】アドバイス生成装置３０が生成する管理情報の一例である。
【図８】アドバイス生成装置３０が生成する管理情報の一例である。
【図９】アドバイス生成装置３０が生成する管理情報の一例である。
【図１０】アドバイス生成装置３０が生成する管理情報の一例である。
【図１１】アドバイス生成装置３０が生成する管理情報の一例である。
【図１２】アドバイス生成装置３０が生成する管理情報の一例である。
【図１３】アドバイス生成装置３０が生成する管理情報の一例である。
【図１４】制御部３２が生成する管理情報の一例である。
【図１５】本発明の実施形態３に係る通信システムの構成例の概略模式図である。
【図１６】本発明の実施形態３に係るアドバイスを生成する方法を示すフローチャートである。
【図１７】本発明の実施形態４に係る通信システムの構成例の概略模式図である。
【図１８】本発明の実施形態４に係るアドバイスを生成する方法を示すフローチャートである。
【発明を実施するための形態】
【００１７】
〔実施形態１〕
以下、本発明の一実施形態について、詳細に説明する。
【００１８】
図１の（ａ）は、本発明の実施形態１に係るウイッグに備えられるセンサシステム１の構成を模式的に示したブロック図である。図１の（ｂ）は、センサシステム１にて測定されたセンシングデータからアドバイス情報を生成するアドバイス生成装置３０の構成を模式的に示したブロック図である。図２は、本発明の実施形態１に係るアドバイスを生成する方法を示すフローチャートである。
【００１９】
（センサシステムの構成）
センサシステム１は、１又は複数のセンサ２と、当該センサ２から取得したセンシングデータを計測する計測部３と、当該計測されたデータに基づいて装置を制御する出力部４とを有する。センサシステム１は更に、電源部５を備えることが好ましい。
【００２０】
計測部３は、センサ２から取得したセンシングデータを格納する格納部３１と、センサ２から取得したセンシングデータに基づいて装置を制御する信号を生成する制御部３２と、センサ２がセンシングデータを取得した時間を計測する計時部３３とを有する。
【００２１】
図３は、全頭用ウイッグのウイッグベース２０の装着時の一例を模式的に示した概略側面図である。図４は、全頭用ウイッグのウイッグベース２０を模式的に示した概略背面図である。図５は、全頭用ウイッグのウイッグベース２０の装着時の一例を模式的に示した概略上面図である。便宜的に、図３乃至５を３次元のｘｙｚ軸空間で表現する。図３は、ｙｚ平面を表し、図４はｘｚ平面を表し、図５はｘｙ平面を表す。
【００２２】
図３乃至５に示したウイッグベース２０は、頭部全体を覆う全頭用ウイッグに対応するウイッグベースの例を示しているが、頭部を部分的に覆う部分用ウイッグベースであってもよい。図３乃至５に示したウイッグベース２０は、模式的に一体型を例示しているが、複数のパーツから構成されたウイッグベースであってもよい。また図３乃至５に示したウイッグベース２０は、部分的または全体的に伸縮性ネットまたは非伸縮性ネットで構成されることが好ましい。図３乃至５には図示していないが、ウイッグベース２０の外側表面に毛髪を植設することによりウイッグとして利用可能となる。
【００２３】
ウイッグベース２０の任意の領域にセンサ２を搭載することができる。好ましい実施形態では、図３乃至５に示した領域２０ａ乃至２０ｇに搭載することができる。ウイッグベース２０にセンサ２を直接取り付けることにより、ユーザがウイッグを頭部に装着する場合、常に同じ領域のデータを取得することができる。ウイッグは他の装身品と異なり、ユーザが意識的に同じ部位に装着させることを強く意識するため、他の装身品を利用したウェアラブルデバイスよりも正確に同じ部位のセンシングが日常的に可能となる。
【００２４】
センサ２以外のセンサシステム１の各構成要素もウイッグベース２０の任意の領域に搭載することができる。センサ２と同様に、好ましい実施形態では、センサ２以外のセンサシステム１の各構成要素も、図３乃至５に示した領域２０ａ乃至２０ｇに搭載することができる。
【００２５】
より具体的には、ウイッグベース２０は、前頭部２０ａ、頭頂部２０ｂ、側頭部２０ｄ，２０ｅ、襟足部２０ｆ，２０ｇ、および、ゴールデンポイント２０ｃの少なくとも一か所にセンサ２を備える。前頭部２０ａおよび頭頂部２０ｂは、頭部の左右方向（ｘ軸方向）においてウイッグ装着者の鼻、眉間を通る中心線（ｚ軸に平行な直線）上に配置される。当該中心線（ｚ軸に平行な直線）と、ウイッグ装着者の顎先から左右の耳片の上部を通る線との交点をゴールデンポイント２０ｃと称する。
【００２６】
図２に示すフローチャートに従い、以下、各ステップについて詳細に説明する。ステップＳ２１では、計測部３は、ウイッグベース２０の任意の場所に設置されたセンサ２により、ウイッグを装着した頭部を測定する。以下、センサ２の具体的な構成について説明する。
【００２７】
（センサ）
センサ２は、生体情報センサおよび環境情報センサの少なくとも一方のセンサであることが好ましい。生体情報センサは、温度測定センサ、皮脂測定センサ、湿度測定センサ、肌水分量測定センサ、ｐＨ測定センサ、静電気測定センサ、臭気センサ、及び血流量センサの少なくとも何れかであることが好ましい。環境情報センサは、位置情報取得センサ、及び光センサの少なくとも何れかであることが好ましい。
【００２８】
（温度測定センサ）
温度測定センサは、頭皮の温度を直接測定する接触タイプに限定されず、非接触タイプの温度センサを用いてもよい。ゼーベック効果を利用した温度センサなど、低消費電力で温度測定が可能なセンサが好ましい。電気式センサに限定されず、例えば光学式センサであってもよい。測定対象は、頭皮の温度に限定されず、ウイッグと頭皮の間の装着環境温度またはウイッグの外側の外部環境温度を測定することも可能である。
【００２９】
好ましい実施形態では、領域２０ａ乃至２０ｇのような複数の領域に温度センサを配置し、測定部位による温度の差異を測定することができる。取得した温度情報が予め設定した基準値を下回った場合や、他の部位と比較して特に温度が低い部位については、血行不良の可能性などが推認され、温度が低い部位についてのケアを促すアドバイス情報を生成するための基礎データとなる。他の好ましい実施形態では、温度センサによるセンシングデータを利用して血行不良の傾向を算出することにより、温度センサを血流量センサとして用いることができる。
【００３０】
（皮脂測定センサ）
皮脂測定センサは、頭皮の電気的特性を測定するタイプに限定されず、光学特性を測定するタイプのセンサであってもよい。特定の領域の皮脂の量に応じた、透過率変化及び／又は屈折率変化を利用して測定するセンサが好ましい。必ずしも皮脂の量の絶対値を測定する必要はなく、測定部位毎の継時変化など相対値をデータ収集してもよい。
【００３１】
皮脂が少ない場合は頭皮の乾燥が推認され、一方、皮脂が多い場合は頭皮トラブルが推認され、種々のトラブルに応じたアドバイス情報を生成するための基礎データとなる。
【００３２】
（肌水分量測定センサ・湿度測定センサ）
肌水分量測定センサ・湿度測定センサは、頭皮の肌水分量だけでなく、ウイッグと頭皮の間の装着環境湿度またはウイッグの外側の外部環境湿度を測定することも可能である。特に、ウイッグと頭皮の間の装着環境湿度は、蒸れ具合を数値化する基礎データとなる。肌水分量のセンシングは、電極を頭皮に接触させ、インピーダンス測定、高周波電気伝導度測定、または静電容量を測定することが好ましい。特に電気容量測定の場合には、高周波コンダクタンスの変化量を測定することにより高精度に測定することが好ましい。水分量が多い場合は湿気による影響が推認され、一方、水分量が少ない場合は、乾燥によるトラブルが推認され、種々のトラブルに応じたアドバイス情報を生成するための基礎データとなる。
【００３３】
（ｐＨ測定センサ）
ｐＨ測定センサは、電極を用いて電位差を測定し、水素イオン濃度を測定する方法に限定されず、ＩＳＦＥＴ（Ion Sensitive Field Effect Transistor；イオン感応性電界効果トランジスタ）のような半導体センサを用いてもよい。頭皮のｐＨ測定により得られたｐＨセンシングデータにより、頭皮のアルカリ傾向が把握でき、皮脂の変質が推認され、シャンプーの見直しなどのアドバイス情報を生成するための基礎データとなる。
【００３４】
（静電気測定センサ）
静電気測定センサは、頭皮の表面電位だけでなく、ウイッグの表面電位も測定することが好ましい。表面電位の測定は非接触式で測定することが好ましいが、測定と同時に静電気を除去することを目的とする場合には、接触式で測定することができる。静電気発生量に応じて頭皮の乾燥による影響が推認され、種々のトラブルに応じたアドバイス情報を生成するための基礎データとなる。
【００３５】
（臭気センサ）
臭気センサは、金属酸化物半導体のような酸化物半導体式または有機半導体式による半導体式のセンサであることが好ましい。ユーザの臭度タイプによって、膜型表面応力センサ(Membrane-type Surface stress Sensor：ＭＳＳ)やＦＥＴバイオセンサなど他のタイプのセンサを用いてもよい。臭気発生量に応じてにおいによる不快さが推認され、種々のトラブルに応じたアドバイス情報を生成するための基礎データとなる。
【００３６】
（その他の生体情報センサ）
上述のとおり、生体情報センサとして種々の具体例を記載したが、本発明において採用することができる生体情報センサは、上述したセンサに限定されない。例えば、頭皮の粘弾性（張り）や硬さをセンシングするセンサを採用してもよい。具体的には、ＭＥＭＳのような振動子組み込みデバイスによるインピーダンス測定をすることができる。
【００３７】
（位置情報取得センサ）
また、環境情報センサとして、位置情報取得センサをウイッグベース２０の任意の領域に搭載することができる。ウイッグのユーザが、航法衛星システムを搭載した携帯情報端末を併せて利用している場合には、携帯情報端末の航法衛星システムを利用することが好ましい。この場合、携帯情報端末と低電力で通信することができる第１の通信部６（後述）が位置情報取得センサに相当する。低電力による通信は、ＢＬＥ（Bluetooth（登録商標）Low Energy）、ＺｉｇＢｅｅ（登録商標）（IEEE 802.15.4）、ＵＷＢ（Ultra-Wide Band）などを利用することができる。
【００３８】
他の好ましい実施形態では、携帯情報端末の航法衛星システムを利用することなく、ウイッグベース２０が位置情報取得センサを備える。この場合、位置情報取得センサは、ＧＰＳ（Global Positioning System；全地球測位システム）センサに限定されることなく、Ｇａｌｌｉｌｅｏ、ＧＬＯＮＡＳＳ、Ｃｏｍｐａｓｓなどを利用することが可能なセンサであることが好ましい。
【００３９】
上述の生体情報センサにより取得されたセンシングデータと、当該センシングデータを取得した位置情報とを対応付けて格納部３１に格納することが好ましい。
【００４０】
（光センサ）
光センサは、検出した光の量を信号に変えるセンサであればよく、低電力で作動することが好ましい。少なくとも可視光領域の波長の光を検出する半導体素子を用いたセンサが好ましい。
【００４１】
また、光センサは撮像素子であってもよい。撮像素子としてウイッグベース２０に搭載した場合、当該撮像素子を、上述の皮脂測定センサ、肌水分量測定センサ、または、血流量センサとして利用することができる。撮像素子により撮影された複数の画像情報を比較することにより、皮脂の量や、肌水分量、血流量の相対的な値を測定することができる。
【００４２】
（電源）
電源５は、センサ２と同様にウイッグベース２０の任意の領域に搭載することが好ましい。好ましい実施形態では、ウイッグベース２０の領域２０ｆまたは２０ｇに搭載されることが好ましい。センサ２は、頭部の情報をセンシングするためウイッグベース２０に直接搭載される必要があるが、電源５が高出力電源の場合はケーブルなどを介してウイッグベース２０外に搭載されてもよい。
【００４３】
電源５は、非充電式のバッテリであってもよいが、充電式のバッテリであるのが好ましい。ウイッグを装着していない時間帯に定期的に充電できることが好ましい。
【００４４】
別の好ましい実施形態では、電源５は自己発電する熱電素子であることが好ましい。例えば、ゼーベック効果を利用したシリコンベースの半導体からなる熱電素子であって、体温と大気温度との温度差で発電する熱電素子を採用してもよい。
【００４５】
電源５は、上述した充電バッテリと自己発電する熱電素子とを組み合わせた電源としてもよい。
【００４６】
電源５によりセンサ２および格納部３１は電力が供給され、センシングデータを取得することができ、センシングデータを格納することができる。電源５により計時部３３は電力が供給され、センサ２によるセンシング時間を併せて格納することができる。このように連続した安定した電力供給により、頭部環境のデータを経時的に得ることができる。
【００４７】
（センシングデータの読み取り）
図２のステップＳ２２では、計測部３は、上述したセンサ２により取得されたセンシングデータを格納部３１に格納する。各センサ２によって取得したセンシングデータを格納した格納部３１は、ウイッグベース２０から取り外し可能な記憶装置であることが好ましい。好ましい実施形態では、記憶装置は、フラッシュ・メモリのような半導体メモリから構成されるコンピュータで読み取り可能な記憶媒体である。
【００４８】
図２のステップＳ２３では、格納部３１に格納されたセンシングデータを読み取る。好ましい実施形態では、アドバイス生成装置３０にてセンシングデータを読み取る。図１の（ｂ）に示した構成例では、アドバイス生成装置３０は、読取部３４と、制御部３５と、格納部３８と、表示部３９とを包含する。制御部３５は更に、解析部３６とアドバイス生成部３７とを備える。好ましい実施形態では、読取部３４にてセンシングデータを読み取ることができる（Ｓ２３）。読取部３４にて読み取ったセンシングデータを格納部３８に逐次格納することが好ましい。
【００４９】
（アドバイス生成）
次いで、当該読み取ったセンシングデータを解析部３６にて解析し（Ｓ２４）、センシングデータの解析に基づきアドバイス生成部３７にてアドバイス情報を生成する（Ｓ２５）。そして、制御部３５は、生成されたアドバイス情報を表示部３９にて表示させる（Ｓ２６）。これにより図２に示すフローチャートの処理が終了する。
【００５０】
格納部３８は、データベースを備えてもよく、アドバイス生成部３７は、当該データベースを参照してセンシングデータに基づいてアドバイス情報を生成することができる。ここで、アドバイス情報とは、アドバイスそのものを示すデータ（テキストデータ、図像のデータ）であってもよいし、予め用意された複数のアドバイス候補の何れかを選択するためのデータでもよい。
【００５１】
アドバイス生成装置３０が、店頭に設置されているパーソナルコンピュータにより構成される場合には、テキストデータを多く表示させることにより詳細なアドバイスを表示させることができる。アドバイス生成装置３０が、タブレットやスマートフォンなどの携帯情報端末により構成される場合、アイコンなど図像により所定のアドバイスを表示させることも可能である。
【００５２】
図６乃至図１３は、アドバイス生成装置３０にて生成されるアドバイス情報を規定するデータフォーマットの一例を示す図である。図６乃至図１３に示したデータフォーマットは、可変長テキストフォーマットの例であるが、他の好ましい実施形態では、バイナリフォーマットによって構成してもよい。
【００５３】
（温度測定データに基づくアドバイス）
図６は、センサ２が、複数の温度測定センサであり、複数の領域２０ａ乃至２０ｇにおいて異なる温度データを含むセンシングデータがアドバイス生成装置３０に取り込まれた場合に、アドバイス生成装置３０が生成する管理情報の一例を示している。図６に示す管理情報は、一例として可変長テキストフォーマットとしてアドバイス生成装置３０にて管理される。
【００５４】
解析部３６は、センシングデータに基づいて測定対象が温度であると特定した場合、図６に示すように、管理情報内の「測定項目」のフィールドに「温度」とエントリさせる。測定結果が存在する場合、解析部３６は、「測定結果」のフィールドに「１」とエントリさせる。ここで、測定結果フィールドが「１」であることは、測定結果が存在していることを示している。
【００５５】
解析部３６は、センシングデータに基づいて、問題となる現象を「部分的差異」と特定した場合、「推察される問題要素」に「血行不良個所の特定」とエントリさせる。このような解析部３６による解析情報に基づいて、アドバイス生成部３７は、頭皮に関するアドバイスとして頭皮の温度に部分的差異が生じている旨のアドバイスを生成することができる。例えば、アドバイス生成部３７は、頭皮に関するコメントとして「特に温度が低い箇所のケアを重点的に」というアドバイスを生成し、好ましい実施形態では、図６に示したデータフォーマットを表示部３９に渡す。
【００５６】
（皮脂測定データに基づくアドバイス）
図７は、センサ２が、皮脂測定センサであり、当該皮脂測定センサにおいて皮脂の量が多いことを示すデータを含むセンシングデータがアドバイス生成装置３０に取り込まれた場合に、アドバイス生成装置３０が生成する管理情報の一例を示している。図７に示す管理情報は、一例として可変長テキストフォーマットとしてアドバイス生成装置３０にて管理される。
【００５７】
解析部３６は、センシングデータに基づいて測定対象が皮脂量であると特定した場合、図７に示すように、管理情報内の「測定項目」のフィールドに「皮脂」とエントリさせる。測定結果が存在する場合、解析部３６は、「測定結果」のフィールドに「１」とエントリさせる。ここで、測定結果フィールドが「１」であることは、測定結果が存在していることを示している。
【００５８】
解析部３６は、センシングデータに基づいて、問題となる現象を「多い場合」と特定した場合、「推察される問題要素」に「頭皮トラブル」とエントリさせる。このような解析部３６による解析情報に基づいて、アドバイス生成部３７は、皮脂多量によるウイッグ装着環境のトラブルが生じ得る旨のアドバイスを生成することができる。例えば、アドバイス生成部３７は、髪に関するコメントとして「皮脂の影響により髪のべたつきが発生する可能性がある」というアドバイスを生成する。また、アドバイス生成部３７は、頭皮に関するコメントとして「毛穴の目詰まりや皮脂変質によるにおいの発生や炎症が懸念」というアドバイスが生成する。更に、アドバイス生成部３７は、ウイッグに関するコメントとして「ウイッグの洗浄時期に注意」というアドバイスを生成し、好ましい実施形態では、図７に示したデータフォーマットを表示部３９に渡す。
【００５９】
図８は、センサ２が、皮脂測定センサであり、当該皮脂測定センサにおいて皮脂の量が少ないことを示すデータを含むセンシングデータがアドバイス生成装置３０に取り込まれた場合に、アドバイス生成装置３０が生成する管理情報の一例を示している。図８に示す管理情報は、一例として可変長テキストフォーマットとしてアドバイス生成装置３０にて管理される
解析部３６は、センシングデータに基づいて測定対象が皮脂量であると特定した場合、図８に示すように、管理情報内の「測定項目」のフィールドに「皮脂」とエントリさせる。測定結果が存在する場合、解析部３６は、「測定結果」のフィールドに「１」とエントリさせる。図７の場合と同様に、測定結果フィールドが「１」であることは、測定結果が存在していることを示している。
【００６０】
解析部３６は、センシングデータに基づいて、問題となる現象を「少ない場合」と特定した場合、「推察される問題要素」に「頭皮の乾燥」とエントリさせる。このような解析部３６による解析情報に基づいて、アドバイス生成部３７は、皮脂不足によるウイッグ装着環境のトラブルが生じ得る旨のアドバイスを生成することができる。例えば、アドバイス生成部３７は、髪に関するコメントとして「髪のパサつきに注意、保湿系のシャンプー類の使用を推奨」というアドバイスを生成する。また、アドバイス生成部３７は、頭皮に関するコメントとして「乾燥系のフケに注意、保湿系のシャンプー類使用を推奨」というアドバイスを生成する。更に、アドバイス生成部３７は、ウイッグに関するコメントとして「静電気発生の可能性、人工毛の場合その保護のため、帯電防止などの準備を」というアドバイスを生成し、好ましい実施形態では、図８に示したデータフォーマットを表示部３９に渡す。
【００６１】
（湿度測定データに基づくアドバイス）
図９は、センサ２が、湿度測定センサであり、当該湿度測定センサにおいて水分量が多いことを示すデータを含むセンシングデータがアドバイス生成装置３０に取り込まれた場合に、アドバイス生成装置３０が生成する管理情報の一例を示している。図９に示す管理情報は、一例として可変長テキストフォーマットとしてアドバイス生成装置３０にて管理される。
【００６２】
解析部３６は、センシングデータに基づいて測定対象が湿度（水分量）であると特定した場合、図９に示すように、管理情報内の「測定項目」のフィールドに「湿度（水分）」とエントリさせる。測定結果が存在する場合、解析部３６は、「測定結果」のフィールドに「１」とエントリさせる。ここで、測定結果フィールドが「１」であることは、測定結果が存在していることを示している。
【００６３】
解析部３６は、センシングデータに基づいて、問題となる現象を「多い場合」と特定した場合、「推察される問題要素」に「汗による影響」とエントリさせる。このような解析部３６による解析情報に基づいて、アドバイス生成部３７は、水分多量によるウイッグ装着環境のトラブルが生じ得る旨のアドバイスを生成することができる。例えば、アドバイス生成部３７は、髪に関するコメントとして「湿気でのヘアスタイルの崩れに注意」というアドバイスを生成する。また、アドバイス生成部３７は、頭皮に関するコメントとして「汗とともに皮脂の影響に注意」というアドバイスが生成される。更に、アドバイス生成部３７は、ウイッグに関するコメントとして「湿気によるヘアスタイルの崩れに懸念、ウイッグのケアをこまめに」というアドバイスを生成し、好ましい実施形態では、図９に示したデータフォーマットを表示部３９に渡す。
【００６４】
図１０は、センサ２が、湿度測定センサであり、当該湿度測定センサにおいて水分量が少ないことを示すデータを含むセンシングデータがアドバイス生成装置３０に取り込まれた場合に、アドバイス生成装置３０が生成する管理情報の一例を示している。図１０に示す管理情報は、一例として可変長テキストフォーマットとしてアドバイス生成装置３０にて管理される
解析部３６は、センシングデータに基づいて測定対象が湿度（水分量）であると特定した場合、図１０に示すように、管理情報内の「測定項目」のフィールドに「湿度（水分）」とエントリさせる。測定結果が存在する場合、解析部３６は、「測定結果」のフィールドに「１」とエントリさせる。図９の場合と同様に、測定結果フィールドが「１」であることは、測定結果が存在していることを示している。
【００６５】
解析部３６は、センシングデータに基づいて、問題となる現象を「少ない場合」と特定した場合、「推察される問題要素」に「乾燥」とエントリさせる。このような解析部３６による解析情報に基づいて、水分不足によるウイッグ装着環境のトラブルが生じ得る旨のアドバイスを生成することができる。例えば、アドバイス生成部３７は、アドバイス生成部３７は、髪に関するコメントとして「髪のパサつきに注意、保湿系のシャンプー類の使用を推奨」というアドバイスを生成する。また、アドバイス生成部３７は、頭皮に関するコメントとして「乾燥系のフケに注意、保湿系のシャンプー類使用を推奨」というアドバイスを生成する。更に、アドバイス生成部３７は、ウイッグに関するコメントとして「静電気発生の可能性、人工毛の場合その保護のため、帯電防止などの準備を」というアドバイスを生成し、好ましい実施形態では、図１０に示したデータフォーマットを表示部３９に渡す。
【００６６】
（ｐＨ測定データに基づくアドバイス）
図１１は、センサ２が、ｐＨ測定センサであり、当該ｐＨ測定センサにおいてアルカリ性の傾向を示すデータを含むセンシングデータがアドバイス生成装置３０に取り込まれた場合に、アドバイス生成装置３０が生成する管理情報の一例を示している。図１１に示す管理情報は、一例として可変長テキストフォーマットとしてアドバイス生成装置３０にて管理される
解析部３６は、センシングデータに基づいて測定対象がｐＨであると特定した場合、図１１に示すように、管理情報内の「測定項目」のフィールドに「ｐＨ」とエントリさせる。測定結果が存在する場合、解析部３６は、「測定結果」のフィールドに「１」とエントリさせる。ここで、測定結果フィールドが「１」であることは、測定結果が存在していることを示している。
【００６７】
解析部３６は、センシングデータに基づいて、問題となる現象を「アルカリ傾向」と特定した場合、「推察される問題要素」に「皮脂の変質」とエントリさせる。このような解析部３６による解析情報に基づいて、アドバイス生成部３７は、アルカリ性によるウイッグ装着環境のトラブルが生じ得る旨のアドバイスを生成することができる。例えば、アドバイス生成部３７は、髪および頭皮に関するコメントとして「頭皮トラブル発生の懸念、シャンプー方法の見直し、弱酸性シャンプーの使用を推奨」というアドバイスを生成する。更に、アドバイス生成部３７は、ウイッグに関するコメントとして「ウイッグへの負担増（アルカリによる浸食）の可能性、頭皮のシャンプー見直しとウイッグもこまめなケアを推奨」というアドバイスを生成し、好ましい実施形態では、図１１に示したデータフォーマットを表示部３９に渡す。
【００６８】
（静電気測定データに基づくアドバイス）
図１２は、センサ２が、静電気測定センサであり、当該静電気測定センサにおいて静電気発生度を示すデータを含むセンシングデータがアドバイス生成装置３０に取り込まれた場合に、アドバイス生成装置３０が生成する管理情報の一例を示している。図１２に示す管理情報は、一例として可変長テキストフォーマットとしてアドバイス生成装置３０にて管理される
解析部３６は、センシングデータに基づいて測定対象が静電気であると特定した場合、図１２に示すように、管理情報内の「測定項目」のフィールドに「静電気」とエントリさせる。測定結果が存在する場合、解析部３６は、「測定結果」のフィールドに「１」とエントリさせる。ここで、測定結果フィールドが「１」であることは、測定結果が存在していることを示している。
【００６９】
解析部３６は、センシングデータに基づいて、問題となる現象を「発生度」と特定した場合、「推察される問題要素」に「乾燥」とエントリさせる。このような解析部３６による解析情報に基づいて、アドバイス生成部３７は、静電気によるウイッグ装着環境のトラブルが生じ得る旨のアドバイスを生成することができる。例えば、アドバイス生成部３７は、髪に関するコメントとして「髪のパサつきに注意、ドライヤーによる乾かしすぎなども要観察、保湿系シャンプーの使用を推奨」というアドバイスを生成する。また、アドバイス生成部３７は、頭皮に関するコメントとして「乾燥系のフケに注意、保湿系のシャンプー類使用を推奨」というアドバイスを生成する。更に、アドバイス生成部３７は、ウイッグに関するコメントとして「人工毛の場合その保護のため、帯電防止などの準備を」というアドバイスを生成し、好ましい実施形態では、図１２に示したデータフォーマットを表示部３９に渡す。
【００７０】
（臭気測定データに基づくアドバイス）
図１３は、センサ２が、臭気測定センサであり、当該臭気測定センサにおいて臭気の発生度を示すデータを含むセンシングデータがアドバイス生成装置３０に取り込まれた場合に、アドバイス生成装置３０が生成する管理情報の一例を示している。図１３に示す管理情報は、一例として可変長テキストフォーマットとしてアドバイス生成装置３０にて管理される。
【００７１】
解析部３６は、センシングデータに基づいて測定対象が臭気であると特定した場合、図１３に示すように、管理情報内の「測定項目」のフィールドに「におい」とエントリさせる。測定結果が存在する場合、解析部３６は、「測定結果」のフィールドに「１」とエントリさせる。ここで、測定結果フィールドが「１」であることは、測定結果が存在していることを示している。
【００７２】
解析部３６は、センシングデータに基づいて、問題となる現象を「発生度」と特定した場合、「推察される問題要素」に「不快」とエントリさせる。このような解析部３６による解析情報に基づいて、アドバイス生成部３７は、においによるウイッグ装着環境のトラブルが生じ得る旨のアドバイスを生成することができる。例えば、アドバイス生成部３７は、髪および頭皮に関するコメントとして「シャンプーの見直し（洗い方、銘柄、頻度）を推奨」というアドバイスを生成する。更に、アドバイス生成部３７は、ウイッグに関するコメントとして「ウイッグの洗浄時期に注意」というアドバイスを生成し、好ましい実施形態では、図１３に示したデータフォーマットを表示部３９に渡す。
【００７３】
（画像データを利用したアドバイス生成）
センサ２が撮像素子の場合、上述したように当該撮像素子は、頭皮環境を画像データとして取得することができる。取得したセンシングデータとしての画像データから、解析部３６は、皮脂の量、肌水分量、血流量などを分析することができるため、当該撮像素子は、皮脂測定センサ、肌水分量測定センサ、血流量センサとして利用することができる。
【００７４】
（機械学習を利用したアドバイス生成）
格納部３１に格納された画像データを含むセンシングデータを参照した、解析部３６及びアドバイス生成部３７によるデータ解析及びアドバイスの生成処理についての具体的手法は本実施形態を限定するものではなく、例えば以下のような機械学習的手法の何れかまたはそれらの組み合わせを用いることができる。
【００７５】
・サポートベクターマシン（SVM: Support Vector Machine）
・クラスタリング（Clustering）
・帰納論理プログラミング（ILP: Inductive Logic Programming）
・遺伝的アルゴリズム（GP: Genetic Programming）
・ベイジアンネットワーク（BN: Bayesian Network）
・ニューラルネットワーク（NN: Neural Network）
ニューラルネットワークを用いる場合、入力されるセンシングデータをニューラルネットワークへのインプット用に予め加工して用いるとよい。このような加工には、データの１次元的配列化、または多次元的配列化に加え、例えば、データオーギュメンテーション（Data Augmentation）等の手法を用いることができる。
【００７６】
また、ニューラルネットワークを用いる場合、畳み込み処理を含む畳み込みニューラルネットワーク（CNN: Convolutional Neural Network）を用いてもよいし、再帰的処理を含むリカレントニューラルネットワーク（RNN: Recurrent Neural Network）を用いてもよい。ＣＮＮを用いる場合、より具体的には、ニューラルネットワークに含まれる１又は複数の層（レイヤ）として、畳み込み演算を行う畳み込み層を設け、当該層に入力される入力データに対してフィルタ演算（積和演算）を行う構成としてもよい。またフィルタ演算を行う際には、パディング等の処理を併用したり、適宜設定されたストライド幅を採用したりしてもよい。
【００７７】
また、ニューラルネットワークとして、数十〜数千層に至る多層型又は超多層型のニューラルネットワークを用いてもよい。
【００７８】
また、センシングデータのデータ処理に用いられる機械学習は、教師あり学習であってもよいし、教師なし学習であってもよい。
【００７９】
データ処理に用いられるプログラムおよび／またはデータは、アドバイス生成装置３０の格納部３８に格納されることが好ましいが、外部の記憶手段に格納されてもよい。
【００８０】
上述した機械学習的手法により解析部３６は、皮脂の量、肌水分量、血流量などを評価することができる。
【００８１】
上述したアドバイス生成部３７によるアドバイス生成は、複数の種類のセンサを組み合わせることにより、アドバイス生成部３７は複数のアドバイス生成をすることができる。更に、画像データを利用した解析部３６による皮脂の量、肌水分量、血流量の解析と組み合わせることにより、アドバイス生成部３７は、より総合的なアドバイス情報を生成することができる。
【００８２】
（エッジコンピューティングによるアドバイス生成）
なお、上記の例では、センサシステム１とは別体のアドバイス生成装置３０においてアドバイスを生成する例を説明したが、本実施形態はこれに限定されるものではない。
【００８３】
アドバイス生成装置３０が備える制御部３５の一部又は全部を、センサシステム１が実装する態様とし、センサシステム１において、ウイッグ上でアドバイス生成を行う構成としてもよい。この場合、一例として、生成したアドバイスを読取部３４が読み取り、表示部３９が当該アドバイスを表示する。
【００８４】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００８５】
本実施形態では、図１に示した制御部３２は、センサ２により取得されたセンシングデータに応じて、ウイッグの装着環境を改善するための制御信号を生成することが好ましい。当該制御信号を出力する出力部に種々のデバイスを接続することにより、ウイッグを装着した頭部のセンシングデータに応じてデバイスを制御することにより、ウイッグの装着環境を改善することができる。
【００８６】
（温度制御）
図１４の（ａ）は、センサ２が温度測定センサであり、センシングデータが温度情報である場合、制御部３２が生成する可変長テキストフォーマットの一例である。
【００８７】
制御対象のデバイスが冷却素子の場合、制御信号を出力する出力部に当該冷却素子を接続し、センサシステム１が当該冷却素子を備える構成とすることができる。制御部３２は、出力部から出力信号を出力させる。センサ２の少なくとも一つが温度測定センサの場合、解析部３６は、当該温度測定センサにより取得されたセンシングデータを温度情報と特定し、解析部３６は、図１４の（ａ）のように、センシングデータを「温度」としてエントリさせる。好ましい実施形態では、格納部３１に予め温度情報の閾値を記憶させておくことができる。温度測定センサによって取得された温度情報が予め設定した閾値を超えた場合、制御部３２が冷却素子を作動させる制御信号を生成する。冷却素子は、好ましい実施形態では直流電流で制御されるペルチェ素子である。図１４の（ａ）のように、好ましい実施形態では、制御部３２は、制御信号として電流制御をエントリさせる。取得された温度情報に応じて、制御部３２は、生成させる直流電流を制御し、ペルチェ素子により温度制御を行うことができる。
【００８８】
温度の閾値は、予め固定値を格納部３１に設定する態様に限定することなく、冷却素子によって温度環境が変化するデータをフィードバックし、制御部３２が機械学習的手法などにより適切な閾値を設定させることも好ましい。
【００８９】
機械学習的手法により参照するデータは、温度変化情報に限定することなく、皮脂量情報、肌水分量情報など温度情報以外の他の情報も参照して適切な閾値を設定することができる。機械学習的手法は、上述したデータ処理を行う手法を用いることが好ましい。
【００９０】
（撮影制御）
図１４の（ｂ）は、センサ２が光センサであり、センシングデータが光量情報である場合、制御部３２が生成する可変長テキストフォーマットの一例である。
【００９１】
制御対象のデバイスが撮像素子の場合、制御信号を出力する出力部に当該撮像素子を接続し、センサシステム１が当該撮像素子を備える構成とすることができる。制御部３２は、出力部から出力信号を出力させる。センサ２の少なくとも一つが光センサの場合、解析部３６は、当該温度測定センサにより取得されたセンシングデータが光量情報と特定し、解析部３６は、図１４の（ｂ）のように、センシングデータを「光量」としてエントリさせる。好ましい実施形態では、格納部３１に予め光量情報の閾値を記憶させておくことができる。光センサによって取得された光量情報が予め設定した閾値を超えた場合、制御部３２が撮像素子を作動させる制御信号を生成する。撮像素子は、好ましい実施形態では電圧で制御される半導体素子である。図１４の（ｂ）のように、好ましい実施形態では、制御部３２は、制御信号として電圧制御をエントリさせる。取得された光量情報に応じて、制御部３２は、生成させる電圧を制御し、撮像素子による撮影を制御できる。
【００９２】
上述した通り、好ましい実施形態では、撮像素子によって得られた画像情報から、皮脂の量、肌水分量、血流量などを分析することができるため、撮像素子を皮脂測定センサ、肌水分量測定センサ、血流量センサとして利用することができる。
【００９３】
撮像素子によって得られた画像情報は、上述したアドバイス情報を生成する情報として利用する態様に限定されず、冷却素子を制御する閾値を設定する学習データとしても利用可能である。当該画像情報の解析に基づき、アドバイス生成部３７は、装着環境を改善するアドバイス情報を生成する。一例として、アドバイス情報に基づき、上述した冷却素子による温度制御を行うことができる。このように撮像素子を制御することによりウイッグの装着環境を改善することができる。
【００９４】
（実施形態１との組み合わせ）
本実施形態２の態様に上述した実施形態１の構成を組み合わせることができる。
【００９５】
一例として、アドバイス生成部３７が生成するアドバイス情報に、撮像素子からの画像情報に基づいた制御による冷却素子を用いたウイッグ装着環境を改善させた旨の情報を盛り込む構成としてもよい。好ましい実施形態では、表示部３９が当該レポートをユーザに提示する構成としてもよい。
【００９６】
〔実施形態３〕
本発明の他の実施形態について、以下に説明する。なお、説明の便宜上、上記実施形態にて説明した部材と同じ機能を有する部材については、同じ符号を付記し、その説明を繰り返さない。
【００９７】
（携帯情報端末の構成）
本実施形態のウイッグに搭載されるセンサシステム１０は、格納部３１に格納されたセンシングデータの少なくとも一部を送信する第１の通信部６を更に備える。制御部３２は、ウイッグを装着した頭部のセンシングデータを第１の通信部６を介して外部に送信させることができ、格納部３１を有効に利用することができる。
【００９８】
図１５は、本実施形態に係る通信システムの構成例の概略を示す。図１５は、送信機側であるセンサシステム１０から送信されたセンシングデータを受信する受信機として第２の通信部１５を備えた情報携帯端末の一例であるスマートフォン１１を例示する。受信機としての情報携帯端末は、スマートフォンに限定されず、受信機能を備えたタブレット、スマートウォッチなどのウェアラブルデバイスであっても良い。
【００９９】
（携帯情報端末との通信）
ユーザが装着したウイッグとユーザが携帯する情報携帯端末との距離は、数メートル以内であることに鑑みて、第１の通信部６および第２の通信部１５は、近距離無線通信のプロトコルに対応したネットワークインターフェースであることが好ましい。例えば、ＢＬＥ（Bluetooth（登録商標）Low Energy）、ＺｉｇＢｅｅ（登録商標）（IEEE 802.15.4）、ＵＷＢ（Ultra-Wide Band）など低消費電力で作動する無線接続仕様を採用することができるが、これらの仕様に限定されない。
【０１００】
（携帯情報端末におけるデータ処理）
センサシステム１０を構成する構成要素のうち少なくともセンサ２および出力部４は、ウイッグベース２０の任意の領域に直接搭載することが好ましい。好ましい実施形態では、図３乃至５に示した領域２０ａ乃至２０ｇに搭載することができる。第１の通信部６もセンサ２と同様にウイッグベース２０の任意の領域に直接搭載することが好ましいが、ケーブルなどを介してウイッグベース２０外に装着保持してもよい。
【０１０１】
第１の通信部６から送信されたセンシングデータを受信するスマートフォン１１は、入力部１２、表示部１３、第1の演算部１４、第２の通信部１５、格納部１６、電源部１７、制御部１８および第３の通信部１９を包含する。スマートフォン１１の各構成要素は、電源部１７から供給された電力により作動する。
【０１０２】
図１６は、本発明の実施形態３に係るアドバイスを生成する方法を示すフローチャートである。
【０１０３】
図１６のステップＳ３１〜Ｓ３２は、実施形態１にて説明した図２のステップＳ２１〜Ｓ２２と同様である。ステップＳ３２では、制御部３２により、格納されたセンシングデータを第１の通信部６を介して送信する。当該送信されたセンシングデータを、スマートフォン１１の制御部１８によって第２の通信部１５を介して受信する（Ｓ３３）。受信したセンシングデータは逐次格納部１６に格納されることが好ましい。
【０１０４】
解析部１８１は、当該受信したセンシングデータを解析し（Ｓ３４）、当該解析されたデータに基づいて、アドバイス生成部１８２はアドバイス情報を生成する（Ｓ３５）。制御部１８は、生成されたアドバイス情報を表示部３９にて表示させる（Ｓ２６）。これにより図１６に示すフローチャートの処理が終了する。
【０１０５】
別の好ましい実施形態では、格納部１６には、アドバイス情報のデータベースが構築されていることが好ましい。また格納部１６には、上述した温度情報に関する閾値や光量情報に関する閾値を格納することができる。当該閾値を予め設定する場合、ユーザは入力部１２を介して入力することができる。入力部１２はタッチパネルを兼ねた表示部１３により実現することも可能である。
【０１０６】
制御部１８は、入力部１２を介して入力された閾値に関する情報を、第２の通信部１５を介して送信し、制御部３２は、第１の通信部６を介して受信させ、格納部３１に格納させることも可能である。この場合、センサシステム１０の制御部３２は、格納部３１に格納された閾値情報に基づいて、出力部４に接続された制御デバイスを制御することができる。
【０１０７】
制御部１８は、受信したセンシングデータを参照してアドバイス情報を生成するアドバイス生成部１８２を包含する。好ましい実施形態では、解析部１８１は、受信したセンシングデータを解析し、アドバイス生成部１８２は、当該解析されたデータとアドバイス情報のデータベースとを参照してアドバイス情報を生成する。制御部１８は、当該生成されたアドバイス情報を表示部１３に表示させる。スマートフォン１１の表示部１３が備える画面は表示領域が限られているため、アイコンなどの図像情報としてのアドバイス情報を表示させることが好ましい。
【０１０８】
アドバイス情報の生成の具体例について、本実施形態では詳細に言及しないが、上述した実施形態１において説明した解析部３６及びアドバイス生成部３７による処理と同様であってよい。
【０１０９】
第３の通信部１９は、３Ｇ通信以降のＬＴＥ通信などの広域無線通信２２のプロトコルに対応したネットワークインターフェースであることが好ましい。好ましい実施形態では、IEEE 802.11に対応したネットワークインターフェースであってもよいが、これらの通信仕様に限定されない。スマートフォン１１は、第３の通信部１９を介して種々の情報を取得することができる。例えば、天気予報を含む気象情報を取得することができる。
【０１１０】
センサ２が位置情報センサの場合、アドバイス生成部１８２は、ウイッグ装着者の位置情報と、気象情報とを参照してアドバイス情報を生成することができる。例えば、降雨予報が得られている場合には、アドバイス生成部１８２は、ウイッグが雨に濡れないようなアドバイス情報を生成し、表示部１３に表示させることができる。
【０１１１】
〔実施形態４〕
本発明の他の実施形態について、以下に説明する。なお、説明の便宜上、上記実施形態にて説明した部材と同じ機能を有する部材については、同じ符号を付記し、その説明を繰り返さない。
【０１１２】
（システム構成）
図１７は、本実施形態に係る通信システムの構成例の概略を示す。図１７に示したネットワーク構成例では、ウイッグベース２０に搭載されたセンサシステム１０から送信されたセンシングデータを受信したスマートフォン１１と、コンピュータシステム２１とが広域無線通信２２によってネットワーク接続されている。コンピュータシステム２１は、少なくとも実施形態１のアドバイス生成装置３０と共通する構成要素である制御部３５と、格納部３８と、表示部３９とを備える。コンピュータシステム２１は更に、第４の通信部２５を備える。第４の通信部２５を介して、スマートフォン１１と通信２２が確立されることが好ましい。
【０１１３】
コンピュータシステム２１は、複数のセンサシステム１０から送信されたセンシングデータを受信することができ、複数のウイッグユーザの装着環境を管理する。好ましい実施形態では、ネットワーク２３を介して管理者端末２４はコンピュータシステム２１を参照することができる。
【０１１４】
図１８は、本発明の実施形態４に係るアドバイスを生成する方法を示すフローチャートである。
【０１１５】
図１８のステップＳ４１〜Ｓ４４は、実施形態３にて説明した図１６のステップＳ３１〜Ｓ３４と同様である。ステップＳ４５では、スマートフォン１１の制御部１８により、格納されたセンシングデータを第３の通信部１９を介して送信する。当該送信されたセンシングデータを、コンピュータシステム２１の制御部３５によって第４の通信部２５を介して受信する（Ｓ４６）。受信したセンシングデータはコンピュータシステム２１の格納部３８に逐次格納されることが好ましい。
【０１１６】
解析部３６は、当該受信したセンシングデータを解析し（Ｓ４７）、当該解析されたデータに基づいて、アドバイス生成部３７はアドバイス情報を生成する（Ｓ４８）。制御部３５は、生成されたアドバイス情報を表示部３９にて表示させる（Ｓ４９）。これにより図１８に示すフローチャートの処理が終了する。
【０１１７】
アドバイス情報の生成の具体例について、本実施形態では詳細に言及しないが、上述した実施形態１において説明した解析部３６及びアドバイス生成部３７による処理と同様であってよい。
【０１１８】
（ネットワーク構成）
第１の通信部６が、近距離無線通信のプロトコルに対応したネットワークインターフェースの場合は、スマートフォン１１を介してコンピュータシステム２１と広域無線通信接続されることが好ましい。一方、第１の通信部６が低電力で稼働するＬＴＥ  Ｃａｔ.Ｍ１のようなＬＰＷＡ（Low Power Wide Area）などに対応したネットワークインターフェースの場合、スマートフォン１１を介さずに直接コンピュータシステム２１と広域無線通信接続することができる。
【０１１９】
いずれの態様であっても、コンピュータシステム２１は、複数のウイッグベース２０に搭載されたセンサシステム１０から送信されたセンシングデータを受信し、種々の環境におけるセンシングデータをデータベースに格納することができる。
【０１２０】
特定の湿度環境や温度環境において特定のウイッグユーザのセンサシステム１０の特定のセンサが稼働しない状況が発生した場合、制御部３５は、第４の通信部２５を介して他のウイッグユーザに当該情報を送信することができる。
【０１２１】
〔ソフトウェアによる実現例〕
センサシステム１の制御ブロック（特に計測部３および制御部３５）、情報処理装置であるスマートフォン１１の制御ブロック（特に第１の演算部１４および制御部１８）、及び、情報処理装置であるコンピュータシステム２１の制御ブロック（特に制御部３５）のうちの少なくとも１つは、集積回路（ＩＣチップ）等に形成された論理回路（ハードウェア）によって実現してもよいし、ソフトウェアによって実現してもよい。
【０１２２】
後者の場合、情報処理装置は、各機能を実現するソフトウェアであるプログラムの命令を実行するコンピュータを備えている。このコンピュータは、例えば１つ以上のプロセッサを備えていると共に、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１２３】
〔まとめ〕
本発明の態様１に係るウイッグは、１又は複数のセンサと、前記センサから取得したセンシングデータを格納する格納部と、を備える構成である。
【０１２４】
上記の構成によれば、ウイッグに搭載したセンサにより取得された頭部環境のデータをウイッグに備えられた格納部に格納することができる。
【０１２５】
本発明の態様２に係るウイッグは、上記の態様１において、前記センサおよび前記格納部の少なくとも一方に電源を供給する電源部と、前記センサがセンシングした時間を計測する計時部と、を更に備える構成としてもよい。
【０１２６】
上記の構成によれば、ウイッグを装着した頭部環境のデータを経時的に得ることができる。
【０１２７】
本発明の態様３に係るウイッグは、上記の態様１または２において、前記センサが、生体情報センサおよび環境情報センサの少なくとも一方のセンサであり、前記生体情報センサは、温度測定センサ、湿度測定センサ、ｐＨ測定センサ、肌水分量測定センサ、皮脂測定センサ、静電気測定センサ、臭気センサ、及び血流量センサの少なくとも何れかを備えており、前記環境情報センサは、位置情報取得センサ、及び光センサの少なくとも何れかを備えている構成としてもよい。
【０１２８】
上記の構成によれば、ウイッグを装着した頭部環境の生体情報データおよび外部環境データの少なくとも一方を得ることができる。
【０１２９】
本発明の態様４に係るウイッグは、上記の態様１から３のいずれか一項において、前記センサにより取得されたセンシングデータに応じて、ウイッグの装着環境を改善するための制御信号を生成する制御部、を更に備える構成としてもよい。
【０１３０】
上記の構成によれば、ウイッグを装着した頭部のセンシングデータに応じて、ウイッグの装着環境を改善するデバイスを制御する制御信号を生成することができる。
【０１３１】
本発明の態様５に係るウイッグは、上記の態様４において、前記ウイッグが、前記制御信号を出力する出力部に接続された少なくとも一つの冷却素子を更に備え、前記センサの少なくとも一つが温度測定センサであり、前記温度測定センサにより取得されたセンシングデータが温度情報であり、前記温度情報が予め設定した閾値を超えた場合、前記制御部が前記冷却素子を作動させる制御信号を生成する構成としてもよい。
【０１３２】
上記の構成によれば、ウイッグを装着した頭部のセンシングデータに基づいて制御装置を制御することによりウイッグ装着環境を改善することができる。
【０１３３】
本発明の態様６に係るウイッグは、上記の態様４または５において、前記ウイッグが、前記制御信号を出力する出力部に接続された少なくとも一つの撮像素子を更に備え、前記センサの少なくとも一つが光センサであり、前記光センサにより取得されたセンシングデータが光量情報であり、前記光量情報が予め設定した閾値を超えた場合、前記制御部が前記撮像素子を作動させる制御信号を生成する構成としてもよい。
【０１３４】
上記の構成によれば、ウイッグを装着した頭部のセンシングデータに応じて撮影した画像情報に基づいて制御装置を制御することによりウイッグ装着環境を改善することができる。
【０１３５】
本発明の態様７に係るウイッグは、上記の態様１から６のいずれか一項において、前記格納部に格納されたセンシングデータの少なくとも一部を送信する第１の通信部、を更に備える構成としてもよい。
【０１３６】
上記の構成によれば、ウイッグを装着した頭部のセンシングデータを外部に送信することができ、格納部を有効に利用することができる。
【０１３７】
本発明の態様８に係る情報処理装置は、ウイッグに搭載された１又は複数のセンサが取得したセンシングデータを取得する取得部と、前記取得部が取得したセンシングデータを参照して、ユーザへのアドバイスを示すアドバイス情報を生成するアドバイス生成部と、前記アドバイス生成部が生成したアドバイス情報を表示する表示部と、を備えている構成である。
【０１３８】
上記の構成によれば、ウイッグを装着した頭部のセンシングデータを取得し、取得したセンシングデータに基づいてアドバイスを生成し表示することができる。
【０１３９】
本発明の態様９に係る情報処理装置は、上記の態様８において、前記センサの少なくとも一つが温度測定センサであり、前記温度測定センサにより取得されたセンシングデータが温度情報であり、前記温度情報が予め設定した基準値を下回った場合、前記アドバイス生成部が、血行不良のケアを促すアドバイス情報を生成する構成としてもよい。
【０１４０】
上記の構成によれば、ウイッグを装着した頭部の温度情報を取得し、取得した温度情報に基づいてアドバイスを生成し表示することができる。
【０１４１】
本発明の態様１０に係る情報処理装置は、上記の態様８または９において、前記センサの少なくとも一つがｐＨ測定センサであり、前記ｐＨ測定センサにより取得されたセンシングデータがアルカリ傾向情報であり、前記アルカリ傾向情報が予め設定した基準値を超えるアルカリ傾向を示す場合、前記アドバイス生成部が、シャンプーの見直しを促すアドバイス情報を生成する構成としてもよい。
【０１４２】
上記の構成によれば、ウイッグを装着した頭部のｐＨ情報を取得し、取得したｐＨ情報に基づいてアドバイスを生成し表示することができる。
【０１４３】
本発明の態様１１に係る頭部測定方法は、ウイッグに搭載された１又は複数のセンサによって、前記ウイッグが装着された頭部を測定してセンシングデータを取得する取得ステップと、前記取得したセンシングデータを、前記ウイッグに搭載された格納部に格納する格納ステップと、を含んでいる方法である。
【０１４４】
上記の構成によれば、ウイッグに搭載したセンサにより取得された頭部環境のデータをウイッグに備えられた格納部に格納することができる。
【０１４５】
本発明の態様１２に係る情報処理方法は、ウイッグに搭載された１又は複数のセンサが取得したセンシングデータを取得する取得ステップと、前記取得したセンシングデータを参照して、ユーザへのアドバイスを示すアドバイス情報を生成するアドバイス生成ステップと、前記生成したアドバイス情報を表示するステップと、を含んでいる方法である。
【０１４６】
上記の構成によれば、ウイッグを装着した頭部のセンシングデータを取得し、取得したセンシングデータに基づいてアドバイスを生成し表示することができる。
【０１４７】
本発明の態様１３に係る情報処理装置としてコンピュータを機能させるためのプログラムは、上記の態様８に記載の情報処理装置としてコンピュータを機能させるためのプログラムであって、前記取得部、前記アドバイス生成部、および前記表示部としてコンピュータを機能させる構成としてもよい。
【０１４８】
上記の構成によれば、コンピュータプログラムによって、ウイッグを装着した頭部のセンシングデータを取得し、取得したセンシングデータに基づいてアドバイスを生成し表示することができる。
【０１４９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１５０】
１、１０  センサシステム
２  センサ
３  計測部
４  出力部
５  電源
５、１７  電源部
６  第１の通信部
１１  スマートフォン
１２  入力部
１３、３９  表示部
１４  第１の演算部
１５  第２の通信部
１６、３１、３８  格納部
１８、３２、３５  制御部
１９  第３の通信部
２０  ウイッグベース
２１  コンピュータシステム
２２  広域無線通信
２５  第４の通信部
３０  アドバイス生成装置
３３  計時部
３４  読取部
３６、１８１  解析部
３７、１８２  アドバイス生成部
【図１】
2020111854.tif 000003
【図２】
2020111854.tif 000004
【図３】
2020111854.tif 000005
【図４】
2020111854.tif 000006
【図５】
2020111854.tif 000007
【図６】
2020111854.tif 000008
【図７】
2020111854.tif 000009
【図８】
2020111854.tif 000010
【図９】
2020111854.tif 000011
【図１０】
2020111854.tif 000012
【図１１】
2020111854.tif 000013
【図１２】
2020111854.tif 000014
【図１３】
2020111854.tif 000015
【図１４】
2020111854.tif 000016
【図１５】
2020111854.tif 000017
【図１６】
2020111854.tif 000018
【図１７】
2020111854.tif 000019
【図１８】
2020111854.tif 000020
【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
１又は複数のセンサと、
前記センサから取得したセンシングデータを格納する格納部と、
前記センサおよび前記格納部の少なくとも一方に電源を供給する電源部と、
前記センサがセンシングした時間を計測する計時部と、
を備えることを特徴とするウイッグ。
【請求項２】
前記センサが、生体情報センサおよび環境情報センサの少なくとも一方のセンサであり、
前記生体情報センサは、温度測定センサ、湿度測定センサ、ｐＨ測定センサ、肌水分量測定センサ、皮脂測定センサ、静電気測定センサ、臭気センサ、及び血流量センサの少なくとも何れかを備えており、
前記環境情報センサは、位置情報取得センサ、及び光センサの少なくとも何れかを備えている
ことを特徴とする請求項１に記載のウイッグ。
【請求項３】
１又は複数のセンサと、
前記センサから取得したセンシングデータを格納する格納部と、
前記センサにより取得されたセンシングデータに応じて、ウイッグの装着環境を改善するための制御信号を生成する制御部と、
を備えることを特徴とするウイッグ。
【請求項４】
前記ウイッグが、前記制御信号を出力する出力部に接続された少なくとも一つの冷却素子を更に備え、
前記センサの少なくとも一つが温度測定センサであり、
前記温度測定センサにより取得されたセンシングデータが温度情報であり、
前記温度情報が予め設定した閾値を超えた場合、前記制御部が前記冷却素子を作動させる制御信号を生成することを特徴とする請求項３に記載のウイッグ。
【請求項５】
前記ウイッグが、前記制御信号を出力する出力部に接続された少なくとも一つの撮像素子を更に備え、
前記センサの少なくとも一つが光センサであり、
前記光センサにより取得されたセンシングデータが光量情報であり、
前記光量情報が予め設定した閾値を超えた場合、前記制御部が前記撮像素子を作動させる制御信号を生成することを特徴とする請求項３または４に記載のウイッグ。
【請求項６】
前記格納部に格納されたセンシングデータの少なくとも一部を送信する第１の通信部、
を更に備えることを特徴とする請求項１から５のいずれか一項に記載のウイッグ。
【請求項７】
ウイッグに搭載された１又は複数のセンサが取得したセンシングデータを取得する取得部と、
前記取得部が取得したセンシングデータを参照して、ユーザへのアドバイスを示すアドバイス情報を生成するアドバイス生成部と、
前記アドバイス生成部が生成したアドバイス情報を表示する表示部と、
を備えていることを特徴とする情報処理装置。
【請求項８】
前記センサの少なくとも一つが温度測定センサであり、
前記温度測定センサにより取得されたセンシングデータが温度情報であり、
前記温度情報が予め設定した基準値を下回った場合、前記アドバイス生成部が、血行不良のケアを促すアドバイス情報を生成することを特徴とする請求項７に記載の情報処理装置。
【請求項９】
前記センサの少なくとも一つがｐＨ測定センサであり、
前記ｐＨ測定センサにより取得されたセンシングデータがアルカリ傾向情報であり、
前記アルカリ傾向情報が予め設定した基準値を超えるアルカリ傾向を示す場合、前記アドバイス生成部が、シャンプーの見直しを促すアドバイス情報を生成することを特徴とする請求項７または８に記載の情報処理装置。
【請求項１０】
ウイッグに搭載された１又は複数のセンサによって、前記ウイッグが装着された頭部を測定してセンシングデータを取得する取得ステップと、
前記取得したセンシングデータを、前記ウイッグに搭載された格納部に格納する格納ステップと、
前記ウイッグに搭載された電源部によって、前記センサおよび前記格納部の少なくとも一方に電源を供給するステップと、
前記ウイッグに搭載された計時部によって、前記センサがセンシングした時間を計測するステップと、
を含んでいることを特徴とする頭部測定方法。
【請求項１１】
ウイッグに搭載された１又は複数のセンサが取得したセンシングデータを取得する取得ステップと、
前記取得したセンシングデータを参照して、ユーザへのアドバイスを示すアドバイス情報を生成するアドバイス生成ステップと、
前記生成したアドバイス情報を表示するステップと、
を含んでいることを特徴とする情報処理方法。
【請求項１２】
請求項７に記載の情報処理装置としてコンピュータを機能させるためのプログラムであって、前記取得部、前記アドバイス生成部、および前記表示部としてコンピュータを機能させることを特徴とするプログラム。